(57)【特許請求の範囲】
【請求項１】
複数個の枠体の一端の上部に、薄板状のカバーを固定または差し込んで積層するについて、
内側の枠体に取り付けるカバーの幅を中側の枠体に取り付けるカバーの幅より若干狭くし、中側の枠体に取り付けるカバーの幅を外側の枠体に取り付けるカバーの幅より若干狭くし、
以後順次内側の枠体に取り付けるカバーの幅を順次外側の枠体に取り付けるカバーの幅より若干狭く形成し、これらのカバーを下積みに積層するとともに、
この複数個の枠体の他端の上部の内面に、薄板状のカバーを積層して取り付けるについて、前述した、内側の枠体に取り付けるカバーの幅を中側の枠体に取り付けるカバーの幅より若干広くし、中側の枠体に取り付けるカバーの幅を外側の枠体に取り付けるカバーの幅より若干広くし、以後順次内側の枠体に取り付けるカバーの幅を順次外側の枠体に取り付けるカバーの幅より若干広く形成し、これらのカバーを上積みに積層し、
さらに、前述した各カバーの両端を折り曲げて遮蔽片を形成し、隣接するカバーの遮蔽片を近接させて摺動するように構成
した産業機器の摺動機構に設置するカバーに遮蔽片を付設した枠体型テレスコピックカバー。
【請求項２】
枠体型テレスコピックカバーを直立または傾斜して使用して、複数個の枠体の一端の上部に取り付ける薄板状のカバーを、上層のカバーの下に中層のカバーを積層し、中層のカバーの下に下層のカバーを積層するというように、以後順次カバーを下積み状態に積層して使用するとともに、
この複数個の枠体の他端の上部の内面に取り付ける薄板状のカバーも、上層のカバーの下に中層のカバーを積層し、中層のカバーの下に下層のカバーを積層するというように、以後順次カバーを下積み状態に積層して使用する請求項１記載のカバーに遮蔽片を付設した枠体型テレスコピックカバー。
【請求項３】
枠体型テレスコピックカバーの複数個の枠体にパンタグラフを取り付けた産業機器の摺動機構に設置する請求項１または請求項２記載のカバーに遮蔽片を付設した枠体型テレスコピックカバー。
【発明の詳細な説明】
【技術分野】
【０００１】
本発明は、産業機器のコラム、ピストン、シリンダー等の摺動機構に取り付ける枠体型テレスコピックカバーに関するもので、この枠体型テレスコピックカバーを構成する複数個のカバーに遮蔽片を付設することに特徴がある。
【０００２】
また、本発明は、前述した遮蔽片を付設した枠体型テレスコピックカバーを構成する複数個の枠体にパンタグラフを一列または複数列付設することに特徴がある。
【背景技術】
【０００３】
従来、産業機器のコラム、ピストン、シリンダー等の摺動機構は、オイルが飛散して設置周辺が汚染する欠点があるばかりか、作業者の手足や衣服を挟む危険があり、また、産業機器においては、その摺動機構や空隙部に、切り粉、スパッター等が混入して摺動機構のスムースな動きに支障が生じ、摺動機構が摩耗する等の問題もあった。
【０００４】
産業機器の摺動機構の前述した問題を改善するためには、従来、枠体型テレスコピックカバーが使用されているが、この種類のテレスコピックカバー1においては、図１に示すように、薄板状のカバー２ａ〜２ｃを枠体３の内部に積層して取り付けたものであって、産業機器の摺動機構４と連結したカバー２ａか下層であって、この下層のカバー２ａ上に中層のカバー２ｂ、この中層のカバー２ｂの上に上層のカバー２ｃというように積層されており、いわば、上積み状態に積層されている。
【０００５】
【特許文献１】特開平７−２１４４５５号公報
【０００６】
このカバー２ａ〜２ｃが上積み状態に積層されているテレスコピックカバー１においては、テレスコピックカバー１か収縮する際に、下層のカバー２ａが中層のカバー２ｂの下に入り込み、中層のカバー２ｂが高層のカバー２ｃの下に入り込む構造であるために、これらの積層したカバー２ａ〜２ｃの間から異物か入り込み易く、産業機器の摺動機構４に侵入して前述したような悪影響を起こし易く、特に、テレスコピックカバー１を直立または傾斜して使用する場合にこの傾向が強いという問題があった。
【０００７】
また、前述したテレスコピックカバー１においては、テレスコピックカバー１を構成する複数枚のカバー２ａ〜２ｃが薄い平板であるために、各カバー２ａ〜２ｃの両端に隙間が発生しやすく、この隙間から異物か侵入して産業機器の摺動機構4に入り込んで前述した悪影響を起こすという欠点もあった。
【発明の開示】
【発明が解決しようとする課題】
【０００８】
本発明は、産業機器の摺動機構に付設した枠体型テレスコピックカバーの欠点を改善するものであり、上層のカバーの下に中層のカバーを積層し、中層のカバーの下に下層のカバーを積層するというように、以後順次カバーを下積みして積層してテレスコピックカバーを構成することによって、カバーとカバーの間から異物が入り難い構造にして、産業機器の摺動機構への異物の混入を阻止することに目的がある。
【０００９】
また、本発明は、複数個の枠体に取り付ける薄板状のカバーについて、カバーの両端を折り曲げて遮蔽片を形成し、隣接するカバーの両端の間から異物が入らない構造することによって、産業機器の摺動機構への異物の混入を確実に阻止することに目的がある。
【００１０】
さらに、本発明は、前述した遮蔽片を付設した枠体型テレスコピックカバーの枠体にパンタグラフを取り付けて、遮蔽片を付設した多数個のカバーの摺動性の向上、すなわち、遮蔽片を付設した枠体型テレスコピックカバーを円滑に安定して摺動させることに目的がある。
【課題を解決するための手段】
【００１１】
本発明は、産業機器の摺動機構に設置する遮蔽片を付設した枠体型テレスコピックカバーに関するもので、
複数個の枠体の一端の上部に、薄板状のカバーを取り付けて積層するについて、
内側の枠体に取り付けるカバーの幅を中側の枠体に取り付けるカバーの幅より若干狭くし、中側の枠体に取り付けるカバーの幅を外側の枠体に取り付けるカバーの幅より若干狭くし、
以後順次内側の枠体に取り付けるカバーの幅を順次外側の枠体に取り付けるカバーの幅より若干狭く形成し、これらのカバーを下積みに積層するとともに、
この複数個の枠体の他端の上部の内面に、薄板状のカバーを積層して取り付けるについて、前述した、内側の枠体に取り付けるカバーの幅を中側の枠体に取り付けるカバーの幅より若干広くし、中側の枠体に取り付けるカバーの幅を外側の枠体に取り付けるカバーの幅より若干広くし、以後順次内側の枠体に取り付けるカバーの幅を順次外側の枠体に取り付けるカバーの幅より若干広く形成し、これらのカバーを上積みに積層し、
さらに、前述した各カバーの両端を折り曲げて遮蔽片を形成し、隣接するカバーの遮蔽片を近接させて摺動するように構成したことに特徴がある。
【００１２】
また、本発明は、前述した枠体型テレスコピックカバーを直立または傾斜して使用して、複数個の枠体の一端の上部に取り付ける薄板状のカバーを、上層のカバーの下に中層のカバーを積層し、中層のカバーの下に下層のカバーを積層するというように、以後順次カバーを下積み状態に積層して使用するとともに、
この複数個の枠体の他端の上部の内面に取り付ける薄板状のカバーも、上層のカバーの下に中層のカバーを積層し、中層のカバーの下に下層のカバーを積層するというように、以後順次カバーを下積み状態に積層して使用することに特徴がある。
【００１３】
さらに、本発明は、前述した産業機器の摺動機構に設置する遮蔽片を付設した枠体型テレスコピックカバーを構成する複数個の枠体にパンタグラフ付設したことに特徴がある。
【発明の効果】
【００１４】
本発明は、複数個の枠体の一端の上部に取り付ける薄板状のカバーについて、産業機器の摺動機構と連結したカバーを上層とし、この上層のカバーの下に中層のカバーを積層し、この中層のカバーの下に下層のカバーを積層するというように、以後順次カバーを下積みして積層するとともに、これらのカバーの両端を折り曲げて遮蔽片を形成し、隣接するカバーの遮蔽片を接近させて摺動するように構成することによって、
カバーとカバーの間から異物が入り難い構造にして、産業機器の摺動機構への異物の混入を確実に阻止する効果があり、特に、テレスコピックカバーを傾斜または直立して使用する場合には優れた効果を発揮する。
【００１５】
さらに、本発明は、前述した遮蔽片を付設した枠体型テレスコピックカバーの枠体にパンタグラフを取り付けて、遮蔽片の付設によって摩擦抵抗の増加した多数個のカバーを、同時に、連動して、等距離で、直進性を持たせて移動させ、枠体型テレスコピックカバーを全体的として円滑に、安定して摺動させる効果がある。
【発明を実施するための最良の形態】
【００１６】
本発明の枠体型テレスコピックカバーは、複数個の長方形の枠体に薄板状のカバーを取り付けて構成するが、図２と図３に示すように、テレスコピックカバー１の外側の枠体２ａの一端の上部の外面にカバー３Ｃを固定して取り付け、中側の枠体２ｂの一端の上部の外面にカバー３Ｂを固定して取り付け、内側の枠体２ｃの一端の上部の外面にカバー３Ａを固定して取り付けるとともに、内側の枠体２ｃに取り付けるカバー３Ａの幅を中側の枠体２ｂに取り付けるカバー３Ｂの幅より若干狭くし、中側の枠体２ｂに取り付けるカバー３Ｂの幅を外側の枠体２ａに取り付けるカバー３Ｃの幅より若干狭くして、産業機器の摺動機構４と連結するカバー３Ａを上層、カバー３Ｂを中層、カバー３Ｃを下層に下積み状態に積層し、そしてカバー３Ａ、カバー３Ｂ、カバー３Ｃのそれぞれの両端を直角に折り曲げて遮蔽片５を形成し、隣接するカバー３の遮蔽片５を近接させて構成する。
【００１７】
この枠体２ａ、２ｂ、２ｃの一端の上部の外面に取り付けたカバー３Ａ、カバー３Ｂ、カバー３Ｃは、上層のカバー３Ａが中層のカバー３Ｂの上に乗り込み、中層のカバー３Ｂが下層のカバー３Ｃの上に乗り込むという下積み状態に積層した構造であるために、いわば、下り階段を流れるように異物が移動するので、カバーカバー３Ａ、カバー３Ｂ、カバー３Ｃの間から異物が入り込み難く、産業機器の摺動機構４に異物が侵入することはなく、特に、テレスコピックカバー１を直立または傾斜して使用する場合には最適である。
【００１８】
さらに、テレスコピックカバー１の外側の枠体２ａの他端の上部の内面に薄板状のカバー３ｃを固定して取り付け、中側の枠体２ｂの他端の上部の内面に薄板状のカバー３ｂを固定して取り付け、内側の枠体２ｃの一端の上部の外面に薄板状のカバー３ａを固定して取り付けるとともに、
内側の枠体２ｃに取り付けるカバー３ａの幅を中側の枠体２ｂに取り付けるカバー３ｂの幅より若干広くし、中側の枠体２ｂに取り付けるカバー３ｂの幅を外側の枠体２ａに取り付けるカバー３ｃの幅より若干広くして、産業機器の摺動機構４と連結するカバー３ａを下層、カバー３ｂを中層、カバー３ｃを上層に上積み状態に積層し、そしてカバー３ａ、カバー３ｂ、カバー３ｃのそれぞれの両端を直角に折り曲げて遮蔽片５を形成し、隣接するカバー３の遮蔽片５を近接させて構成する。
【００１９】
前述した本発明の枠体型テレスコピックカバー１を解体して説明すると、図４に示すように、
外側の枠体２ａの一端の上部の外面に、両端を直角に折り曲げて遮蔽片５を形成した薄板状のカバー３Ｃを取り付けるとともに、外側の枠体２ａの他端の上部の内面に、両端を直角に折り曲げて遮蔽片５を形成した薄板状のカバー３ｃを取り付け、また、中側の枠体２ｂの一端の上部の外面に、両端を直角に折り曲げて遮蔽片５を形成した薄板状のカバー３Ｂを取り付けるとともに、中側の枠体２ｂの他端の上部の内面に、両端を直角に折り曲げて遮蔽片５を形成した薄板状のカバー３ｂを取り付け、
さらに、内側の枠体２ｃの一端の上部の外面に、両端を直角に折り曲げて遮蔽片５を形成した薄板状のカバー３Ａを取り付けるとともに、内側の枠体２ｃの一端の上部の外面に、両端を直角に折り曲げて遮蔽片５を形成した薄板状のカバー３ａを取り付けものより構成する。
【００２０】
なお、枠体２に薄板状のカバー３を取り付けるについては、溶接、接着剤による接着、ネジ止めなどの公知の固定手段を利用する以外に、図７に示すように、蓋８のある箱７の箱７の部分を枠体２とするとともに、その蓋８の部分の中央に切れ目９を入れるとともに、切れ目９を入れた一方の蓋８の部分を枠体２に沿ってコの字状に切れ込んだ後に、このコの字状に切れ込んだ蓋８の部分を外側に１８０度折り曲げて前述したようなカバー３として利用し、このカバー３の両端を直角に折り曲げて遮蔽片５を形成してもよく、さらに、切れ目９を入れた他方の蓋８の部分を枠体２に沿ってコの字状に切れ込んだ後に、このコの字状に切れ込んだ蓋８の部分を前述したようなカバー３として利用し、このカバー３の両端を直角に折り曲げて遮蔽片５を形成してもよい。
【００２１】
また、枠体２に薄板状のカバー３を取り付けるについては、前述した蓋６のある箱７を利用する以外に、枠体２にカバー３を差し込んで取り付けてもよく、たとえば、図８に示すように、テレスコピックカバー１の外側の枠体２ａの一端の上部の外面に、断面がＬ字型の差込板１０を取り付けてスリット１１を設けて、このスリット１１に薄板状のカバー３Ｃの一端を差し込んで取り付けてもよく、同様に、枠体２ｂと２ｃの一端の上部の外面に、断面がＬ字型の差込板１０を取り付けてスリット１１を設けて薄板状のカバー３Ｂと３Ａの一端を差し込んで取り付けてもよい。
【００２２】
薄板状のカバー３を取り付ける枠体２は長方形であって、前述したように蓋６のある箱７を利用してもよく、枠体２の幅、長さ、個数は、取り付ける産業機器の摺動機構４の種類、大きさ、摺動距離等によって適宜決定するが、通常の場合、枠体２の個数は三個が最小であり、この場合、外側の枠体２ａの幅は１０〜１００ｃｍ、長さは１００〜８００ｃｍ、中側の枠体２ｂの幅は９〜９０ｃｍ、長さは９０〜７００ｃｍ、内側の枠体２ｃの幅は８〜８０ｃｍ、長さは８０〜６００ｃｍとし、以後、枠体２の個数が増えるに従って、より内側の枠体２xの幅、長さは順次短くすればよい。
【００２３】
薄板状のカバー３の幅、長さ、個数は、枠体２の幅、長さ、個数によって適宜決定するが、通常、枠体２の個数は三個が最小であり、この場合の一例を説明すると、カバー３の幅は、内側の枠体２ｃの一端の上部の外面に取り付ける薄板状のカバー３Ａは２４．５〜２９．５ｃｍとし、中側の枠体２ｂに取り付けるカバー３Ｂの幅は２５．５〜３０．５ｃｍと若干広くし、外側の枠体２ａに取り付けるカバー３Ｃの幅は２６．５〜３１．５ｃｍと若干広くし（各カバーの間隔０．５ｃｍ）、さらに、内側の枠体２ｃに取り付けるカバー３Ａの幅は２６．５〜３１．５ｃｍとし、中側の枠体２ｂに取り付けるカバー３Ｂの幅は２５．５〜３０．５ｃｍと若干狭くし、外側の枠体２ａに取り付けるカバー３Ｃの幅は２４．５〜２９．５ｃｍと若干狭くし、以後、枠体２の個数が増えるに従って、これらのカバー３の幅を順次調整すればよく、カバー３の長さは、通常の場合、同じ長さにするとよい。
【００２４】
カバー３の両端を折り曲げて形成する遮蔽片５の長さは、カバー３の長さと同じにするとよく、また、遮蔽片５の幅は、枠体２の個数が三個の最小の個数の場合について説明すると、カバー３Ａは１．２〜１．５ｃｍ、カバー３Ｂは１．３〜１．５ｃｍ、カバー３Ｃは１．４〜１．６ｃｍとするとよく、隣接するカバーの遮蔽片、すなわち、カバー３Ａの遮蔽片５とカバー３Ｂの遮蔽片５およびカバー３Ｂの遮蔽片５とカバー３Ｃの遮蔽片５を近接させて摺動するにして、異物が入り込まない構造にし、さらに、カバー３ａは１．４〜１．６ｃｍ、カバー３ｂは１．３〜１．５ｃｍ、カバー３ｃは１．２〜１．５ｃｍとするとよく、隣接するカバーの遮蔽片、すなわち、カバー３ａの遮蔽片５とカバー３ｂの遮蔽片５およびカバー３ｂの遮蔽片５とカバー３ｃの遮蔽片５を近接させて摺動するにして、異物が入り込まない構造にするとよく、以後、枠体２の個数が増えるに従って、これらのカバー３の幅を順次調整すればよい。
【００２５】
また、テレスコピックカバー１の設置スペースが狭い場合、あるいは、カバーカバー３の間から異物が入り込みことを極力排除したい場合には、図５に示すように、テレスコピックカバー１を直立または傾斜して使用すればよく、このような場合には、枠体２ａ、２ｂ、２ｃの一端の上部の外面に取り付けた薄板状のカバーカバー３Ａ、カバー３Ｂ、カバー３Ｃは、上層のカバー３Ａが中層のカバー３Ｂの上に乗り込み、中層のカバー３Ｂが下層のカバー３Ｃの上に乗り込むという下積み状態に積層した構造にするとともに、
テレスコピックカバー１の外側の枠体２ａの他端の上部の内面に取り付けた薄板状のカバー３ｃ、カバー３ｂ、薄板状のカバー３ａも、上層のカバー３ｃが中層のカバー３ｂの上に乗り込み、中層のカバー３ｂが下層のカバー３ａの上に乗り込むという下積み状態に積層した構造にし、いわば、下り階段を流れるように異物が移動するような構造にして、
さらに、これらのカバー３のそれぞれの両端を直角に折り曲げて遮蔽片５を形成し、隣接するカバー３の遮蔽片５を近接させて構成にして、カバーカバー３の間から異物が入り込まないようにするとよい。
【００２６】
テレスコピックカバー１の枠体２にパンタグラフ６を付設するには、図６に示すように、前述した枠体２ｃ、枠体２ｂ、枠体２ａにパンタグラフ６を一個または複数個取り付け、遮蔽片５の付設によって摩擦抵抗の増加した多数個のカバー３を、同時に、連動して、等距離で、直進性を持たせて摺動させ、枠体型テレスコピックカバーを全体的として円滑に、安定して摺動させる。
【００２７】
本発明のパンタグラフ６の材質としては、ステンレス鋼を使用してもよいが、１７％Ｃｒ−２％Ｎｉを主成分として軟質なフェライト相と硬質なマルテンサイト相と微細混合組織を有する高強度複層組織ステンレス鋼を用いることによって、パンタグラフ６の物理的強度を高めてもよい。
【産業上の利用可能性】
【００２８】
本発明は、産業機器のコラム、ピストン、シリンダー等の摺動機構を覆うテレスコピックカバーとして利用でき、特に最近の小型化した産業機器の取付スペースが小さい場合においては、最適なテレスコピックカバーとして使用できる。
【図面の簡単な説明】
【００２９】
【図１】カバーを上積み状態に積層した従来の枠体型テレスコピックカバーの説明図である。
【図２】テレスコピックカバーの枠体の一端の上部に取り付けるカバー下積み状態に積層するとともに、カバーの両端を直角に折り曲げて遮蔽片を形成した本発明の枠体型テレスコピックカバーの平面説明図である。
【図３】枠体の一端の上部に取り付けるカバー下積み状態に積層するとともに、カバーの両端を折り曲げて遮蔽片を形成した本発明の枠体型テレスコピックカバーの側面説明図である。
【図４】枠体、遮蔽片を形成したカバーを構成要素とした本発明の枠体型テレスコピックカバーの展開説明図である。
【図５】テレスコピックカバーのカバーを下積み状態に積層して直立して使用する状態を示す本発明の枠体型テレスコピックカバーの側面説明図である。
【図６】カバーの枠体にパンタグラフを取り付けた本発明の枠体型テレスコピックカバーの側面説明図である。
【図７】蓋のある箱の箱の部分を枠体とするとともに、切れ目を入れた一方の蓋の部分を枠体に沿ってコの字状に切れ込んで、これを外側に折り曲げてカバーとして利用する本発明の枠体型テレスコピックカバーの平面説明図である。
【図８】枠体の一端の上部にＬ字型の差込板を付設して形成したスリットにカバーの一端を差し込んで取り付けた状態を示す本発明の枠体型テレスコピックカバーの平面説明図である。
【符号の説明】
【００３０】
１    枠体型テレスコピックカバー
２    枠体
３    カバー
４    産業機器の摺動機構
５    遮断片
６    パンタグラフ
７    箱
８    蓋
９    切れ目
１０  Ｌ字型の差込板
１１  スリット
【図１】
0005948156.tif 000002
【図２】
0005948156.tif 000003
【図３】
0005948156.tif 000004
【図４】
0005948156.tif 000005
【図５】
0005948156.tif 000006
【図６】
0005948156.tif 000007
【図７】
0005948156.tif 000008
【図８】
0005948156.tif 000009